(57)【要約】【課題】防臭パイプ内面に付着したヌメリを排水の流れにより効果的に落とすことが可能な排水トラップの提供を課題とする。【解決手段】トラップ本体１３０と防臭パイプ１５０とを備える排水トラップ１において、内側に上下からの排水を通す筒状の可動部材７０が防臭パイプ１５０の内側に挿入され、水に対する可動部材７０の比重が１．０よりも大きくされ、封水Ｓ１が流動していないときに可動部材７０を載せる可動部材受け部１５３が防臭パイプ１５０の内側に設けられ、可動部材７０の内面７０ａに内側へ出て可動部材７０の内側を上昇する排水から力を受ける部位７２が設けられ、該部位７２が受ける力により可動部材７０が動いて防臭パイプ１５０の内面１５１ａのヌメリを落とすようにされている。【選択図】図４
2011196111.tif 000002
【特許請求の範囲】
【請求項１】
封水の貯留部を有するトラップ本体と、前記封水の上から該封水内へ垂下して上からの排水を内側に通す防臭パイプとを備える排水トラップにおいて、
内側に上下からの排水を通す筒状の可動部材が前記防臭パイプの内側に挿入され、水に対する前記可動部材の比重が１．０よりも大きくされ、前記封水が流動していないときに前記可動部材を載せる可動部材受け部が前記防臭パイプの内側に設けられ、前記可動部材の内面に内側へ出て該可動部材の内側を上昇する排水から力を受ける部位が設けられ、該部位が受ける前記力により前記可動部材が動いて前記防臭パイプの内面のヌメリを落とすようにされていることを特徴とする排水トラップ。
【請求項２】
前記可動部材は、前記防臭パイプの内側に対して上下に向いた仮想軸を中心として回転可能に挿入され、
前記可動部材の内面に設けられた部位は、前記可動部材の内側を上昇する排水により前記可動部材が前記仮想軸を中心として回転する形状とされていることを特徴とする請求項１に記載の排水トラップ。
【請求項３】
前記可動部材の少なくとも外周面が前記封水内で抗菌性の物質を溶出する抗菌材料とされていることを特徴とする請求項１又は請求項２に記載の排水トラップ。
【発明の詳細な説明】
【技術分野】
【０００１】
本発明は、封水内へ垂下する防臭パイプを有する排水トラップに関する。
【背景技術】
【０００２】
浴室等の排水トラップには、毛髪を主とするごみ等の異物を排水中から捕集するヘアキャッチャーが着脱可能に設けられている。このヘアキャッチャーの下側には防臭パイプが存在し、この防臭パイプの下端はトラップ本体の封水貯留部の封水に漬かっている。この封水があるため、防臭パイプに微生物の作用によってできる粘状物質であるヌメリが付着する。
【０００３】
特許文献１記載の排水トラップは、防臭パイプの内側に形成される水封室に中実の浮遊掃除体が入っている。この浮遊掃除体は、水中を浮き沈みするようにされ、浴室の洗い場など上から流入する排水の流れにより水封室内壁に接触したりトラップ本体の底面に接触したりする。
【先行技術文献】
【特許文献】
【０００４】
【特許文献１】特開２００８−５０９１８号公報
【発明の概要】
【発明が解決しようとする課題】
【０００５】
特許文献１記載の排水トラップは、上から流入する排水の流量が少ない場合、浮遊掃除体の動きが少なくなり、水封室内壁のヌメリが除去されないことがある。
【０００６】
また、上から流入する排水の流れにより浮遊掃除体が浮き沈みするためには、水に対する浮遊掃除体の比重が１．０未満でなければならない。浮遊掃除体の比重が１．０よりも大きいと、浮遊掃除体が水封室下部に沈んだ状態となり、上から排水が流入しても浮遊掃除体が沈んだままとなるためである。浮遊掃除体の比重が厳密に１．０であるとしても、上から排水が流入すると水封室内の排水が下降することとなり、浮遊掃除体が沈んだままとなることに変わりはない。
浮遊掃除体の比重が１．０未満であると、浴槽から残り湯を排出するとき、防臭パイプの下から急激に流れ込む残り湯に対して浮遊掃除体が浮かんだままとなり、水封室内壁のヌメリが効果的に除去されない。
【０００７】
以上を鑑み、本発明は、防臭パイプ内面に付着したヌメリを排水の流れにより効果的に落とすことが可能な排水トラップの提供を目的としている。
【課題を解決するための手段】
【０００８】
上記目的を達成するため、本発明は、封水の貯留部を有するトラップ本体と、前記封水の上から該封水内へ垂下して上からの排水を内側に通す防臭パイプとを備える排水トラップにおいて、内側に上下からの排水を通す筒状の可動部材が前記防臭パイプの内側に挿入され、水に対する前記可動部材の比重が１．０よりも大きくされ、前記封水が流動していないときに前記可動部材を載せる可動部材受け部が前記防臭パイプの内側に設けられ、前記可動部材の内面に内側へ出て該可動部材の内側を上昇する排水から力を受ける部位が設けられ、該部位が受ける前記力により前記可動部材が動いて前記防臭パイプの内面のヌメリを落とすようにされていることを特徴とする。
【０００９】
すなわち、水に対する比重が１．０よりも大きい筒状の可動部材は、封水が流動していないときに防臭パイプの可動部材受け部に載っている。浴槽の残り湯を排出する等して排水が下から防臭パイプの内側へ急激に流れ込むと、上昇する排水から可動部材内面から内側へ出た部位が力を受け、この力により可動部材が動いて防臭パイプ内面のヌメリを効果的に落とす。特に、浴槽の残り湯を排出するときの排水の流れは排水トラップの上から流入する排水の流れよりも強いことが多いため、防臭パイプ内面のヌメリの除去に効果的である。
【００１０】
各請求項に係る発明において、上記排水トラップには、浴室の排水トラップの他、洗面化粧台の排水トラップ、理容店や美容室の排水トラップ、等も含まれる。
上記トラップ本体は、貯留部上縁部を有する封水筒が本体部材に対して着脱可能に取り付けられて構成されてもよいし、貯留部上縁部が分離不能に一体化されていてもよい。
上記可動部材の内側を上昇する排水から力を受ける部位は、可動部材の内面から突出した部位、可動部材の内面から延出した部位、可動部材の内面から膨出した部位、可動部材の内面のある部分から他の部分に架橋された部位、等が含まれる。前記力により動く可動部材は、上下に動いてもよいし、上下に向いた仮想軸を中心として回転してもよい。
【００１１】
従って、前記可動部材は、前記防臭パイプの内側に対して上下に向いた仮想軸を中心として回転可能に挿入されてもよい。この場合、前記可動部材の内面に設けられた部位は、前記可動部材の内側を上昇する排水により前記可動部材が前記仮想軸を中心として回転する形状とされてもよい。可動部材の内側を上昇する排水により可動部材が上下に向いた仮想軸を中心として回転するので、より効果的に防臭パイプ内面のヌメリを落とすことができる。
【００１２】
さらに、前記可動部材の少なくとも外周面が前記封水内で抗菌性の物質を溶出する抗菌材料とされていると、少なくとも防臭パイプ内面近くの封水に抗菌性の物質が溶出する。これにより、防臭パイプ内面へのヌメリの発生が抑制され、さらに封水の貯留部へのヌメリの発生が抑制される。
また、抗菌材料が寿命となっても、可動部材を防臭パイプから外して新たな可動部材を防臭パイプの内側に挿入するという簡単な作業により、防臭パイプ内面の抗菌性が維持される。
【００１３】
上記抗菌性は、菌の増殖を抑制する性質をいう。抗菌性の物質は、抗菌性を有する物質をいい、銀イオン、銅イオン、亜鉛イオン、ニッケルイオン、等が含まれる。上記抗菌材料は、封水内に挿入されて抗菌性の物質を溶出する材料であればよく、銀イオン等を溶出する種々の材料の他、特開平１１−３４３５９２号公報や特開２０００−１４３４２２号公報に記載されるＮｉ−Ｐ系合金を含む材料等が含まれる。
上記可動部材の少なくとも外周面が抗菌材料とされていることには、可動部材のうち外周面のみ抗菌材料とされていること、可動部材の全体が抗菌材料とされていること、等が含まれる。
【００１４】
なお、上記排水トラップを有する浴室や洗面化粧台等の発明も、上述した作用、効果を奏する。
【発明の効果】
【００１５】
請求項１に係る発明によれば、防臭パイプ内面に付着したヌメリを排水の流れにより効果的に落とすことが可能な排水トラップを提供することができる。
請求項２に係る発明では、より効果的に防臭パイプ内面のヌメリを落とすことができる。
請求項３に係る発明では、防臭パイプ内面の抗菌性を容易に維持することができる。
【図面の簡単な説明】
【００１６】
【図１】本発明の一実施形態に係る排水トラップ１を示す垂直断面図である。
【図２】図１に示す排水トラップ１の一部分解斜視図である。
【図３】（ａ）は締め付けフランジ１４０の上面を示す平面図、（ｂ）は防臭パイプ１５０の上面を示す平面図、である。
【図４】（ａ）は可動部材７０の上面を示す平面図、（ｂ）は防臭パイプ１５０の内側に可動部材７０を挿入した状態を示す垂直断面図、である。
【図５】（ａ）は変形例に係る可動部材１７０の上面を示す平面図、（ｂ）は可動部材１７０を（ａ）のＡ１−Ａ１の位置で切断して示す垂直断面図、（ｃ）は防臭パイプ１５０の内側に可動部材１７０を挿入した状態を示す垂直断面図、である。
【発明を実施するための形態】
【００１７】
（１）第一の実施形態：
図１は、本発明の第一の実施形態に係る浴室用排水トラップ１の垂直断面を示している。この浴室は、図示しないシャワーや給湯栓等が設けられた洗い場Ｗ１が浴槽Ｂ１の外側に設けられ、この洗い場Ｗ１の床材１１０の一部が凹んで排水桝１１２が形成されている。この排水桝１１２は、下側の開口部に向かって略水平方向に内側へ延出したフランジ部１１３を有し、上側の開口部にカバー１２０を着脱することができるようにされている。排水トラップ１は、排水桝１１２に取り付けられ、カバー１２０と床材１１０との隙間ＣＬ１から排水桝１１２へ流入した排水を通過させる。本排水トラップ１は、トラップ本体１３０、締め付けフランジ１４０、防臭パイプ１５０、ヘアキャッチャー１０、及び筒状の可動部材７０を備える。
なお、本明細書では、封水Ｓ１の貯留部１３５の上部を構成する部材を封水筒と呼び、この封水筒は、防臭パイプ１５０が内側に挿入される部材であるものとする。
【００１８】
排水桝１１２の四隅には、図２に示すように、カバー１２０を載置するための洗い場側段部１１４ａ，１１４ａ及び浴槽側段部１１４ｂ，１１４ｂが形成されている。カバー１２０の浴槽側縁部１２０ａには、洗い場側へ凹んだ手かけ部１２２が形成されている。
【００１９】
図１に示すように、本実施形態のトラップ本体１３０は、封水Ｓ１の貯留部１３５の上部を構成する封水筒１３０Ｂが本体部材１３０Ａに対して着脱可能に取り付けられている。従って、ユーザーは、封水筒１３０Ｂのみを取り外して清掃することができる。むろん、封水筒と本体部材が分離不能に一体化されたトラップ本体を有する排水トラップにも、本発明を適用可能である。
封水筒１３０Ｂを取り付けたトラップ本体１３０は、上部が開口し、浴槽側の封水筒側壁１３０ａの下部に水平方向へ突出した接続口１３１が形成され、該接続口１３１に対向する位置に水平方向へ突出した排出口１３２が形成されている。接続口１３１は、接続管を介して浴槽の防水パンに接続されている。トラップ本体１３０内では、封水筒側壁１３０ａ，１３０ｂの貯留部上縁部１３０ｃを上限位置とする封水面Ｓ２が形成され、この封水面Ｓ２の下側に防臭パイプ１５０の下部が差し込まれる。また、トラップ本体１３０の上縁部には径方向内側へ延出したフランジ部１３３が形成され、このフランジ部１３３の内周面にねじ部１３３ａが形成されている。
【００２０】
浴槽Ｂ１から残り湯を排出する際、残り湯は、接続口１３１から図１の流れ方向Ｄ３，Ｄ４で示す経路を通る。排出する残り湯の一部は、防臭パイプ本体部１５１の内側を上昇し、防臭パイプ本体部１５１内の水位が一時的に封水面Ｓ２よりも高くなる。他の残り湯は、封水面Ｓ２を越えて排出口１３２へ流れる。なお、浴槽Ｂ１の残り湯を排出する際に、洗い場Ｗ１からも排水が封水貯留部１３５に流入していたとしても、封水貯留部１３５に流入する残り湯の流れは、洗い場Ｗ１から封水貯留部１３５に流入する排水の流れよりも強いことが多く、浴槽Ｂ１から排出する残り湯の挙動は、前述の通りになる。
【００２１】
締め付けフランジ１４０は、図１及び図３（ａ）に示すように、トラップ本体のねじ部１３３ａと螺合するねじ部１４１ａを外周面に有する円筒部１４１と、この円筒部１４１の上縁部で径方向外側へ延出した上側フランジ部１４２と、円筒部１４１の下縁部で径方向内側へ延出した下側フランジ部１４３とを備える略環状に形成されている。円筒部１４１の内周面には、９０°間隔で４箇所に上下２つの突起１４１ｂが形成されている。床材のフランジ部１１３の先端部にパッキン１４４を取り付け、このパッキン１４４をトラップ本体のフランジ部１３３とで挟むようにして該フランジ部１３３に締め付けフランジ１４０を螺入すると、床材のフランジ部１１３とトラップ本体１３０とを互いに固定することができる。
【００２２】
防臭パイプ１５０は、封水Ｓ１の上から封水Ｓ１内へ垂下し、上からの排水を内側に通す。図１及び図３（ｂ）に示すように、防臭パイプ１５０は、筒状の本体部１５１と、この本体部１５１の上縁部から径方向外側へ延出した上側フランジ部１５２と、本体部１５１の下縁部から径方向内側へ延出した可動部材受け部１５３とを有する形状に形成されている。封水Ｓ１に挿入される本体部１５１の下側は、中心軸を上下に向けた略円筒形状とされている。本体部１５１の上側は、上に向かって拡がっている。上側フランジ部１５２の外縁部には、９０°間隔で４箇所に切欠１５２ａが形成されている。各切欠１５２ａを締め付けフランジの突起１４１ｂに合わせて締め付けフランジ１４０の開口部に防臭パイプの本体部１５１を挿入し、防臭パイプの上側フランジ部１５２を締め付けフランジの下側フランジ部１４３に接触させて回転させることにより、トラップ本体１３０内の所定位置に防臭パイプ１５０が固定される。可動部材受け部１５３は、本体部１５１の内側で可動部材７０を載せるための部位であり、可動部材７０を着脱可能に保持する。
防臭パイプ１５０の下端とトラップ本体１３０の底面との間には、隙間が設けられている。
【００２３】
本実施形態のヘアキャッチャー１０は、特開２００９−２０３７７０号公報に記載されるヘアキャッチャーと同様の構成を有し、図１等に示す一時保水部２０と上部排水流出部３０と排水導入部４０を備える。
一時保水部２０は、上部が開口し下方へ凹んだ凹状に形成され、流入した排水を一時的に保水する。この一時保水部２０は、半球の底に上方へ凸とされた凸部２４を有する凹状とされている。凸部２４を含む一時保水部２０の下部には、排水中の毛髪等の流出を抑止しながら排水を略下方へ流出させる複数の下部排水流出孔２３が形成されている。上部排水流出部３０は、一時保水部２０を取り囲むように設けられ、一時保水部２０の上部（上縁部２１ａ）から外側に向かって斜めに上がるように延出している。この上部排水流出部３０には、排水中の毛髪等の流出を抑止しながら一時保水部２０に入りきらない排水を流出させる複数の上部排水流出孔３２が形成されている。排水導入部４０は、洗い場Ｗ１からの排水を通す流入部６０を設けて上部排水流出部３０の外側に配置された立壁部５０と、洗い場Ｗ１からの排水を一時保水部２０へ通す流入部６０とを有し、洗い場Ｗ１からの排水を直接、一時保水部２０へ導く。
【００２４】
ヘアキャッチャー１０は、上部排水流出部３０の外縁部から下方へ延出した下方延出部４２を有している。この下方延出部４２には、締め付けフランジの各突起１４１ｂに合わせて４箇所の切欠部及び溝が形成されている。これらの切欠部及び溝に締め付けフランジの各突起１４１ｂを挿入させてヘアキャッチャー１０を回すことにより、ヘアキャッチャー１０が防臭パイプ１５０の上側に設けられる。
洗い場Ｗ１で生じた排水は、カバー１２０の周囲から排水桝１１２に流入し、ヘアキャッチャー１０に流入する。ヘアキャッチャー１０内の排水は、毛髪等の流出が抑止されながら下部排水流出孔２３や上部排水流出孔３２から下方へ流出し、流れ方向Ｄ１，Ｄ２で示す経路を通り封水面Ｓ２まで落下する。
【００２５】
筒状の可動部材７０は、防臭パイプ１５０の内側に挿入され、封水Ｓ１に漬かる。この状態で、可動部材７０は、内側に上下からの排水を通す。図２，４に示すように、本実施形態の可動部材７０は、略円筒形状とされ、防臭パイプ本体部１５１の内側に挿入されたときに中心軸ＡＸ１がほぼ防臭パイプ本体部１５１の中心軸に合わせられる。可動部材７０の外周面７０ｂは、防臭パイプ本体部１５１の下側の内面１５１ａよりも僅かに内側とされる。可動部材の外周面７０ｂの形状がほぼ防臭パイプ本体部下側の内面１５１ａの形状に合わせられているので、浴槽Ｂ１の残り湯等が防臭パイプ１５０の下から流れ込んで可動部材７０が動くときに防臭パイプ内面１５１ａの広い範囲に可動部材の外周面７０ｂが接触する。可動部材の外周面の形状を防臭パイプ内面の形状に合わせることが好ましいものの、可動部材を断面楕円形や断面多角形の筒状等としても防臭パイプ内面に付着したヌメリを排水の流れにより効果的に落とすことができる。
【００２６】
可動部材の外周面７０ｂは、可動部材７０が中心軸ＡＸ１を上下に向けて防臭パイプの可動部材受け部１５３に載置される大きさであればよい。例えば、可動部材７０の外径（直径）をｄ１（図４（ａ）参照）、可動部材受け部１５３の内径（直径）をｄ２（図３（ｂ）参照）、防臭パイプ本体部１５１の下側の内径（直径）をｄ３（図３（ｂ）参照）、可動部材７０の高さをｈ１（図４（ｂ）参照）とする。ここで、ｄ２，ｄ３の前提条件は０＜ｄ２＜ｄ３であり、ｈ１の前提条件は０よりも大きく可動部材受け部１５３に載置された可動部材７０がヘアキャッチャー１０に接触しない高さである。この場合、ｄ１，ｈ１の条件は、ｄ２＜ｄ１＜ｄ３、かつ、ｄ３＜（ｄ１2＋ｈ１2）1/2となる。
本実施形態の可動部材７０の上縁部は、可動部材受け部１５３に載置されている状態で貯留部上縁部１３０ｃよりも下側とされている。むろん、残り湯等の上昇流により可動部材が十分に上下動可能である限り、可動部材の上縁部は貯留部上縁部１３０ｃよりも上側とされてもよい。
【００２７】
水に対する可動部材７０の比重は、１．０よりも大きくされている。これにより、封水貯留部１３５に排水が流入せず封水Ｓ１が流動していないときに可動部材受け部１５３に載置される。
可動部材７０は、水に対する比重が１．０よりも大きい樹脂材料や金属材料や無機材料等で形成することができる。比重１．０以下の材料と比重が１．０よりも大きい材料とを組み合わせ、全体として比重が１．０よりも大きくなるように可動部材７０を形成してもよい。
【００２８】
また、可動部材の外周面７０ｂが封水Ｓ１内で抗菌性の物質を溶出する抗菌材料とされてもよい。例えば、ステンレスといった金属材料等に抗菌材料をめっきすれば、外周面７０ｂを抗菌材料とすることができる。むろん、封水Ｓ１中で抗菌性の物質を溶出する抗菌材料のみで可動部材７０を形成してもよい。封水中で抗菌性の物質を溶出する抗菌材料は、特開平１１−３４３５９２号公報や特開２０００−１４３４２２号公報に記載されるＮｉ−Ｐ系合金を含む材料が好ましい。このような材料を可動部材の外周面７０ｂに使用すると、防臭パイプ内面１５１ａ近くの封水Ｓ１にＮｉ及びＰが溶出すると考えられ、防臭パイプ内面１５１ａの近傍で封水Ｓ１中の菌の増殖が抑制され、防臭パイプ内面１５１ａのヌメリ発生が抑えられる。さらに、封水Ｓ１中にＮｉ及びＰが溶出すると考えられるため、封水貯留部１３５全体の封水Ｓ１中の菌の増殖が抑制され、防臭パイプ１５０や封水貯留部１３５のヌメリ発生が抑えられる。むろん、封水中で抗菌性の物質を溶出する抗菌材料は、銀イオン、銅イオン、亜鉛イオンといった金属イオンを溶出する金属材料、無機材料、有機材料、等でもよい。
【００２９】
可動部材７０の内面７０ａには、内側へ出て可動部材７０の内側を上昇する排水から力を受ける部位である凸部７２が設けられている。本実施形態の凸部７２は、可動部材７０の下縁部に複数設けられている。可動部材内面７０ａに設ける凸部７２の位置は、排水の上昇流から力を受ける観点から下側が好ましいものの、上下の中間位置や、上縁部等とすることも可能である。図４（ａ）に示す可動部材７０は、中心軸ＡＸ１を中心として１２０°間隔で凸部７２が３箇所形成されている。むろん、可動部材７０に設ける凸部は、１箇所でも、２箇所でも、４箇所以上でもよい。各凸部７２は、可動部材内面７０ａから径方向内側へ延出した延出部７２ａを有している。これらの延出部７２ａは、浴槽Ｂ１の残り湯等の流れ方向となるＤ４方向に直交し、残り湯等の上昇流の抵抗となる。従って、本排水トラップ１は、可動部材７０の内側を上昇する排水から凸部７２が受ける力により可動部材７０が動いて防臭パイプ内面１５１ａのヌメリを落とすようにされている。
【００３０】
本実施形態の可動部材外周面７０ｂは、滑らかな面でもよいし、凹凸を有する面でもよい。可動部材外周面７０ｂを滑らかな面とすることにより、外周面７０ｂを清掃し易くすることができる。一方、可動部材外周面７０ｂに凹凸を設けることにより、外周面７０ｂの清掃性が低下するものの、防臭パイプ内面１５１ａに付着したヌメリを除去する能力を高めることができる。可動部材外周面７０ｂに抗菌材料を用いる場合、外周面７０ｂにヌメリが付着し難くなるので、防臭パイプ内面１５１ａのヌメリの除去能力を高めるために可動部材外周面７０ｂに凹凸を形成しておくことが好ましい。
【００３１】
上述した排水トラップ１は、例えば、以下のようにして形成される。
まず、床材フランジ部１１３の先端部にパッキン１４４を取り付け、トラップ本体のフランジ部１３３に締め付けフランジ１４０を螺入して床材フランジ部１１３とトラップ本体１３０とを互いに固定する。次に、防臭パイプ１５０を締め付けフランジ１４０に取り付け、防臭パイプ１５０の内側に可動部材７０を挿入する。最後に、ヘアキャッチャー１０を締め付けフランジ１４０に取り付けると、排水トラップ１が形成される。
むろん、先に可動部材７０を防臭パイプ１５０に挿入した後、この防臭パイプ１５０を締め付けフランジ１４０に取り付けてもよい。
【００３２】
以下、本排水トラップ１の作用、効果を説明する。
防臭パイプ１５０に挿入された筒状の可動部材７０は、比重が１．０よりも大きいので、封水Ｓ１が流動していないときに最も沈んで防臭パイプ１５０の可動部材受け部１５３に載っている。ここで、浴槽Ｂ１の残り湯を排出すると、残り湯の一部は、図１の流れ方向Ｄ３，Ｄ４で示す経路を通り、下から防臭パイプ本体部１５１の内側へ急激に流れ込んで、防臭パイプ本体部１５１内の水位を一時的に上昇させる。すると、可動部材内面７０ａから内側へ出た凸部７２が排水の上昇流から力を受け、この力により可動部材７０が最も沈んだ位置から上昇する。図４（ｂ）には、上昇した可動部材７０の位置の一例が二点鎖線で示されている。
【００３３】
残り湯が流入しなくなると、防臭パイプ本体部１５１内の水位が封水面Ｓ２の位置まで下がるとともに、排水の上昇流による力が凸部７２に加わらなくなる。これにより、可動部材７０が可動部材受け部１５３に載る位置まで下がる。
【００３４】
可動部材７０は、上下に動くとき、外周面７０ｂが防臭パイプ内面１５１ａに接触し、防臭パイプ内面１５１ａのヌメリを効果的に落とす。特に、浴槽Ｂ１の残り湯を排出するときの排水の流れは強いことが多いため、防臭パイプ内面１５１ａのヌメリの除去に効果的である。
また、可動部材の外周面７０ｂの形状がほぼ防臭パイプ内面１５１ａの形状に合わせられているので、可動部材の外周面７０ｂが防臭パイプ内面１５１ａの広い範囲に接触し、防臭パイプ内面１５１ａのヌメリが効果的に落ちる。
従って、本排水トラップ１は、防臭パイプ内面１５１ａに付着したヌメリを排水の流れにより効果的に落とすことが可能であるという、有用な効果を奏する。
【００３５】
なお、可動部材７０に抗菌材料を用いている場合、可動部材７０から抗菌性の物質が溶出する。すると、封水Ｓ１中の菌の増殖が抑制され、封水Ｓ１に差し込まれた部分の防臭パイプ１５０の内面１５１ａ及び外面や、封水貯留部１３５の内面に対するヌメリの発生が抑制される。
可動部材７０を長期間使用していると、可動部材７０の抗菌材料が減少し、抗菌性の物質が溶出しなくなることが想定される。ヌメリ付着の防止機能を維持するためには、可動部材７０を定期交換することが好ましい。
【００３６】
本排水トラップ１の場合、例えば、以下のようにして可動部材７０を交換することができる。
まず、カバー１２０を外し、ヘアキャッチャー１０を回して締め付けフランジ１４０から取り外し、防臭パイプ１５０を回して締め付けフランジ１４０から取り外す。次に、抗菌材料が寿命となった可動部材７０を防臭パイプ本体部１５１から引き出し、新たな可動部材７０を防臭パイプ本体部１５１に入れる。そして、交換後の可動部材７０を有する防臭パイプ１５０を回して締め付けフランジ１４０に取り付け、ヘアキャッチャー１０を回して締め付けフランジ１４０に取り付け、排水桝の段部１１４にカバー１２０を載せると、可動部材７０の交換作業が終了する。
このように、可動部材７０の抗菌材料が寿命となっても、簡単な作業で可動部材７０のみを交換することができ、交換後の可動部材７０から溶出する抗菌性の物質により封水貯留部１３５の抗菌性が維持される。従って、本排水トラップは、排水トラップ貯留部の抗菌性を容易に維持することができる。
【００３７】
（２）第二の実施形態：
次に、図５を参照して、筒状の可動部材の内面に設ける凸部を羽根部１７２とする第二の実施形態を説明する。ここで、図５（ａ）は可動部材１７０の上面を示し、図５（ｂ）は可動部材１７０を図５（ａ）のＡ１−Ａ１の位置で断面視し、図５（ｃ）は防臭パイプ１５０の内側に可動部材１７０を挿入した状態を断面視している。図５（ｃ）に示す可動部材１７０の左側は、側面視している。本実施形態の排水トラップ１における可動部材１７０以外の構成は、第一の実施形態と同様であるので、説明を省略する。
【００３８】
本実施形態の可動部材１７０も、内側に上下からの排水を通す略円筒形状とされ、水に対する比重が１．０よりも大きくされている。可動部材１７０の外周面７０ｂは、防臭パイプ本体部下側の内面１５１ａの形状に合わせられ、防臭パイプ１５０に挿入されたときに防臭パイプ本体部下側の内面１５１ａよりも僅かに内側とされる。これにより、可動部材１７０は、防臭パイプ１５０の内側に対して上下に向いた仮想軸ＡＸ２を中心として回転可能に挿入される。この仮想軸ＡＸ２は、ほぼ防臭パイプ本体部１５１の中心軸に合わせられている。本実施形態の可動部材１７０の外周面７０ｂも、滑らかな面や凹凸を有する面とすることができる。
【００３９】
本可動部材１７０も、第一の実施形態の可動部材７０と同様にして形成することができる。可動部材１７０の少なくとも外周面７０ｂが封水Ｓ１内で抗菌性の物質を溶出する抗菌材料とされると、防臭パイプ内面１５１ａへのヌメリの発生が抑制され、さらに封水Ｓ１の貯留部１３５へのヌメリの発生が抑制される。また、抗菌材料が寿命となっても、可動部材を防臭パイプ１５０から外して新たな可動部材を防臭パイプ１５０の内側に挿入するという簡単な作業により、防臭パイプ内面１５１ａの抗菌性を容易に維持することができる。
【００４０】
可動部材１７０の内面７０ａには、内側へ出て可動部材１７０の内側を流れる排水から力を受ける部位である羽根部１７２が設けられている。本実施形態の羽根部１７２は、長手方向を仮想軸ＡＸ２からずれた方向に向けて可動部材内面７０ａから略径方向内側へ延出している。図５（ａ）に示す可動部材１７０は、仮想軸ＡＸ２を挟んで対向する位置に羽根部１７２が２箇所形成されている。むろん、可動部材１７０に設ける羽根部は、１箇所でも、３箇所以上でもよい。各羽根部１７２は、仮想軸ＡＸ２に対して角度が付けられているので、可動部材１７０の内側を上昇する排水により可動部材１７０が仮想軸ＡＸ２を中心として回転する形状とされている。
【００４１】
封水Ｓ１が流動していないときに可動部材１７０が可動部材受け部１５３に載っているとき、浴槽Ｂ１の残り湯を排出すると、残り湯の一部は、下から防臭パイプ本体部１５１の内側へ急激に流れ込み、防臭パイプ本体部１５１内を一時的に上昇する。すると、可動部材内面７０ａから内側へ出た羽根部１７２が排水の上昇流から力を受け、この力により可動部材１７０が上下に向いた仮想軸ＡＸ２を中心として回転する。図５（ｃ）は、残り湯が流れ方向Ｄ４へ流入したときに可動部材１７０が回転する様子を模式的に示している。このように防臭パイプ１５０の内側で可動部材１７０が回転するので、可動部材１７０の外周面７０ｂが勢いよく防臭パイプ内面１５１ａに接触することとなり、より効果的に防臭パイプ内面１５１ａのヌメリを落とすことができる。なお、洗い場Ｗ１からの排水が防臭パイプ本体部１５１内を流れるときにも、可動部材内面７０ａから内側へ出た羽根部１７２が排水の下降流から受ける力により可動部材１７０が回転するようにしてもよい。
【００４２】
（３）変形例：
本発明を適用可能な洗い場は、浴室の洗い場以外にも、洗面化粧台の排水トラップに繋がる洗面台、理容店や美容室の排水トラップに繋がる洗面台、等でもよい。また、ヘアキャッチャーが無い等、上述した排水トラップを構成する一部が無いような排水トラップも、本発明を適用可能である。
【００４３】
可動部材の内側を流れる排水から力を受ける部位は、可動部材の内面から棒状に出た突出部、可動部材の内面からドーム状に出た膨出部、可動部材の内面のある部分から他の部分を架橋する棒状部位、等でもよい。
可動部材は、分割可能な複数の部材で構成されてもよい。
可動部材には、把手等の部位が設けられてもよい。
むろん、独立請求項に係る構成要件のみからなる排水トラップでも、上述した基本的な作用、効果が得られる。
【００４４】
以上説明したように、本発明によると、種々の態様により、防臭パイプ内面に付着したヌメリを排水の流れにより効果的に落とすことが可能な技術を提供することができる。
また、上述した実施形態及び変形例の中で開示した各構成を相互に置換したり組み合わせを変更したりして本発明を実施することも可能であり、公知技術並びに上述した実施形態及び変形例の中で開示した各構成を相互に置換したり組み合わせを変更したりして本発明を実施することも可能である。従って、本発明は、上述した実施形態や変形例に限られず、公知技術並びに上述した実施形態及び変形例の中で開示した各構成を相互に置換したり組み合わせを変更したりした構成等も含まれる。
【符号の説明】
【００４５】
１…排水トラップ、
７０，１７０…可動部材、７０ａ…内面、７０ｂ…外周面、
７２…凸部（上昇する排水から力を受ける部位）、
１１０…床材、１１２…排水桝、
１３０…トラップ本体、１３０Ａ…本体部材、１３０Ｂ…封水筒、
１３５…貯留部、
１４０…締め付けフランジ、
１５０…防臭パイプ、
１５１…本体部、１５１ａ…内面、１５３…可動部材受け部、
１７２…羽根部（上昇する排水から力を受ける部位）、
ＡＸ１…中心軸、ＡＸ２…仮想軸、
Ｂ１…浴槽、Ｓ１…封水、Ｓ２…封水面、Ｗ１…洗い場。
【図１】
2011196111.tif 000003
【図２】
2011196111.tif 000004
【図３】
2011196111.tif 000005
【図４】
2011196111.tif 000006
【図５】
2011196111.tif 000007